(57)【要約】【課題】  引出し箱の撓みによるすれ桟からの外れ防止に寄与し、且つ、使い易い仕切り部材を備える引出しを提供する。【解決手段】  引出し箱１の内面１０の左右上端部２に相対して形成した二つの差込構造３（３ａ）を介して間口方向に対して平行に軸支される回動可能な仕切り部材４を備える引出しであって、仕切り部材４が、引出し箱１の底面５の方向に延設した仕切り板６を有し、且つ、仕切り板６の下端側が奥行方向に湾曲しているので、収納物が大きい場合は仕切り部材４の仕切り板６を回動させることで引出し箱１内での当該収納物の収納に必要な容量を確保でき、引出し箱の剛性を常に確保できるため、永続的に引出し箱１の撓み防止に寄与し得る。また、仕切り板６の下端側が奥行方向に湾曲しているので、収納物を引出し箱１から取り出す際、回動した仕切り板６の下端への引っかかりを効果的に防止できる。【選択図】図２
2006081671.tif 000002
【特許請求の範囲】
【請求項１】
引出し箱内面の左右上端部に相対して形成した二つの差込構造を介して間口方向に対して平行に軸支される回動可能な仕切り部材を備える引出しであって、前記仕切り部材が、前記引出し箱の底面方向に延設した仕切り板を有し、且つ、該仕切り板の下端側が奥行方向に湾曲していることを特徴とする引出し。
【請求項２】
前記引出し箱内面の左右上端部の少なくともいずれか一方に、前記仕切り板の回動を制限するストッパー部を有することを特徴とする請求項１記載の引出し。
【発明の詳細な説明】
【技術分野】
【０００１】
本発明は、例えば、衣類収納用途等に好適に使用可能な引出しに関するものである。
【背景技術】
【０００２】
従来より、厨房内のフロアキャビネットや洗面化粧台等には、上面が開放した箱型の引出しが備えられており、かかる引出し内部には種々の大きさのものが収納されている。このように大きさの異なるものを一つの引出し内に収納する場合、特に醤油や油の入った瓶など嵩型のものは、引出しの出し入れの際に転倒し易い等の問題点があり、これを解決する方策の一つとして、例えば、実開平５−７６３４１号公報に開示するような仕切り部材を具備する引出しが提案されている。
【０００３】
これに対して、例えば、衣類収納用途に使用可能な樹脂製の引出しにおいても、従前より、箱が撓むことですれ桟から外れることを防止するため等の理由から、引出し箱中央部に差込み式の仕切り部材を設けていた。しかし、収納物の形状等により収納に支障が生ずる場合等においては、この仕切り部材が取り外されてしまうことも多く、かかる場合にも取り外されることなく使用可能で、永続的に引出し箱の撓み防止に寄与し得る仕切り部材を備える引出しが待望されていた。
【特許文献１】実開平５−７６３４１号公報
【発明の開示】
【発明が解決しようとする課題】
【０００４】
本発明は、上記背景技術に鑑みて発明されたものであり、その課題は、引出し箱の撓みによるすれ桟からの外れ防止に寄与し、且つ、使い易い仕切り部材を備える引出しを提供することにある。
【課題を解決するための手段】
【０００５】
上記課題を解決するために、請求項１に係る発明の引出しにあっては、引出し箱内面の左右上端部に相対して形成した二つの差込構造を介して間口方向に対して平行に軸支される回動可能な仕切り部材を備える引出しであって、前記仕切り部材が、前記引出し箱の底面方向に延設した仕切り板を有し、且つ、該仕切り板の下端側が奥行方向に湾曲していることを特徴とするものである。
【０００６】
請求項２に係る発明の引出しにあっては、請求項１記載の引出しにおいて、前記引出し箱内面の左右上端部の少なくともいずれか一方に、前記仕切り板の回動を制限するストッパー部を有することを特徴とするものである。
【発明の効果】
【０００７】
本発明の引出しでは、引出し箱内面の左右上端部に相対して形成した二つの差込構造を介して間口方向に対して平行に軸支される回動可能な仕切り部材を備える引出しであって、前記仕切り部材が、前記引出し箱の底面方向に延設した仕切り板を有し、且つ、該仕切り板の下端側が奥行方向に湾曲しているので、収納物が大きい場合は仕切り部材に延設した仕切り板を回動させることで引出し箱内での当該収納物の収納に必要な容量を確保でき、上記仕切り部材を取り外す必要がなく、引出し箱の剛性を常に確保することができるため、永続的に引出し箱の撓み防止に寄与し得ることとなる。また、仕切り板の下端側が奥行方向に湾曲しているので、収納物を引出し箱から取り出す際、回動した仕切り部材に延設した仕切り板の下端への引っかかりを効果的に防止することができることとなる。
【発明を実施するための最良の形態】
【０００８】
以下、本発明の実施形態を図面に基づき説明する。なお、本発明の引出しは、下記の実施形態にのみ限定されるものではなく、本発明の要旨を逸脱しない範囲内において種々変更を加え得ることは勿論である。
【０００９】
ここで、図１は、本発明の一実施形態である引出しＡの構成の概略を模式的に示す斜視図である。一方、図２は、本発明の一実施形態である引出しＡの構成部品の概略を模式的に示すもので、（ａ）は、引出し箱１の斜視図、（ｂ）は、仕切り部材４の正面図、（ｃ）は、仕切り部材４の側面図である。さらに、図３は、本発明の一実施形態である引出しＡの使用状態の概略を模式的に例示するもので、（ａ）は、仕切り区画９内に収納可能な程度に小さい収納物１４を収納した状態を示す縦断面図〔図１のＸ−Ｘ‘を含む垂直面における〕、（ｂ）は、仕切り区画９内に収納可能な範囲を超えて大きい収納物１４ａを収納した状態を示す縦断面図〔図１のＸ−Ｘ‘を含む垂直面における〕である。
【００１０】
すなわち、本実施形態の引出しＡは、図１、図２に示すように、引出し箱１の内面１０の左右上端部２（ここでは、左側上端部２Ｌ、右側上端部２Ｒ）に相対して形成した二つの差込構造３である差込穴部３ａ（ここでは、左差込穴部３ａＬ、右差込穴部３ａＲ）を介して間口方向に対して平行に軸支される回動可能な仕切り部材４を備える引出しであって、この仕切り部材４が、前記引出し箱１の底面５の方向に延設した仕切り板６を有し、且つ、この仕切り板６の下端側に奥行方向に湾曲している湾曲部７を具備する結果、仕切り板６の下端側が奥行方向に湾曲しているものである。
【００１１】
本実施形態の引出しＡは、このように、引出し箱１の内面１０の左側上端部２Ｌ、右側上端部２Ｒに相対して形成した二つの差込構造３である左差込穴部３ａＬ、右差込穴部３ａＲを介して間口方向に対して平行に軸支される回動可能な仕切り部材４を備え、且つ、この仕切り部材４が、引出し箱１の底面５の方向に延設した仕切り板６を有するので、収納物１４が仕切り部材４により形成された仕切り区画９内に収納可能な程度に小さいときは、仕切り部材４は、通常の仕切り部材と同様に機能し得る（図３（ａ）参照）。一方、タオル、衣類等に代表される収納物１４ａが、仕切り区画９内に収納可能な範囲を超えて大きい場合には、仕切り部材４に延設した仕切り板６を回動させることで引出し箱１内での当該収納物１４ａの収納に必要な容量を確保できるため、仕切り部材４を取り外す必要がなく、引出し箱１の剛性を常に確保することができる結果、永続的に引出し箱１の撓み防止に寄与し得ることとなる（図３（ｂ）参照）。
【００１２】
さらに、この場合、仕切り板６の下端側に奥行方向に湾曲している湾曲部７を具備する結果、仕切り板６の下端側が奥行方向に湾曲しているので、収納物１４ａを引出し箱から取り出す際、回動した仕切り部材４に延設した仕切り板６の下端への引っかかりを効果的に防止することができることとなる（図３（ｂ）参照）。
【００１３】
また、本実施形態の引出しＡでは、引出し箱１の内面１０の左右上端部２の少なくともいずれか一方（図１乃至図３では、右側上端部２Ｒ）に、仕切り板６の回動を制限するストッパー部１３を有するので、仕切り部材４に延設した仕切り板６の回動が、このストッパー部１３により引出し箱１の内面１０の上端部２で止まる結果、引出し箱１を引出す際に、収納物１４ａが上側へ引っかかる等の不具合を効果的に防止することができることとなる。
【００１４】
以上のように、本発明の引出しでは、引出し箱内面の左右上端部に相対して形成した二つの差込構造を介して間口方向に対して平行に軸支される回動可能な仕切り部材を備える引出しであって、前記仕切り部材が、前記引出し箱の底面方向に延設した仕切り板を有し、且つ、該仕切り板の下端側が奥行方向に湾曲しているので、収納物が大きい場合は仕切り部材に延設した仕切り板を回動させることで引出し箱内での当該収納物の収納に必要な容量を確保でき、上記仕切り部材を取り外す必要がなく、引出し箱の剛性を常に確保することができるため、永続的に引出し箱の撓み防止に寄与し得ることとなる。また、仕切り板の下端側が奥行方向に湾曲しているので、収納物を引出し箱から取り出す際、回動した仕切り部材に延設した仕切り板の下端への引っかかりを効果的に防止することができることとなる。
【図面の簡単な説明】
【００１５】
【図１】本発明の一実施形態である引出しＡの構成の概略を模式的に示す斜視図である。
【図２】本発明の一実施形態である引出しＡの構成部品の概略を模式的に示すもので、（ａ）は、引出し箱１の斜視図、（ｂ）は、仕切り部材４の正面図、（ｃ）は、仕切り部材４の側面図である。
【図３】本発明の一実施形態である引出しＡの使用状態の概略を模式的に例示するもので、（ａ）は、仕切り区画９内に収納可能な程度に小さい収納物１４を収納した状態を示す縦断面図〔図１のＸ−Ｘ‘を含む垂直面における〕、（ｂ）は、仕切り区画９内に収納可能な範囲を超えて大きい収納物１４ａを収納した状態を示す縦断面図〔図１のＸ−Ｘ‘を含む垂直面における〕である。
【符号の説明】
【００１６】
１      引出し箱
２      上端部（内面１０）
２Ｌ    左側上端部（内面１０）
２Ｒ    右側上端部（内面１０）
３      差込構造
３ａ    差込穴部
３ａＬ  左差込穴部
３ａＲ  右差込穴部
４      仕切り部材
５      底面（引出し箱１）
６      仕切り板（仕切り部材４）
７      湾曲部（仕切り板６）
８      脱落防止ストッパー
９      仕切り区画
１０      内面（引出し箱１）
１１      前板
１２      取っ手
１３      ストッパー部
１４      収納物
１４ａ    収納物
Ａ        引出し
【図１】
2006081671.tif 000003
【図２】
2006081671.tif 000004
【図３】
2006081671.tif 000005